(57)【特許請求の範囲】
【請求項１】
複数の商品を前後方向に並べて収納するとともに、当該収納した商品を販売時に前方に払い出す自動販売機の商品収納払出装置であって、
前端に払出口を有し、前記複数の商品を前後方向に並べて収納するための商品通路と、
前記商品の販売時に、当該商品通路内に収納された前記複数の商品を後方から押圧することで前方に移動させることにより、最前位置の販売商品を前記商品通路の前記払出口から外部に払い出すプッシャと、
前後方向に延び、前記商品通路に収納された前記複数の商品のうちの少なくとも一部の商品に対して上方から近接する案内部を有し、前記複数の商品が前方に移動するときに、前記少なくとも一部の商品の上面が当該案内部に接することにより、当該少なくとも一部の商品を、その前後方向の傾きを阻止しながら案内するガイドと、を備えることを特徴とする自動販売機の商品収納払出装置。
【請求項２】
前記ガイドは、前記商品通路を画成する壁に着脱自在に取り付けられていることを特徴とする請求項１に記載の自動販売機の商品収納払出装置。
【請求項３】
前記ガイドは、前記商品通路の壁に着脱自在に取り付けられ、互いに平行に上下方向に延びる複数の長孔を有するサポート板と、このサポート板に取り付けられ、前記案内部を構成するガイド板と、を備えており、
前記ガイド板は、前記サポート板の前記複数の長孔に抜け止め状態で上下方向に移動自在にそれぞれ係合する複数の爪と、複数の前記商品の上面に同時に接する本体板部とを一体に備えていることを特徴とする請求項２に記載の自動販売機の商品収納払出装置。
【請求項４】
前記ガイド板は、前記本体板部から所定角度をなして延び、前記サポート板に当接することにより、当該ガイド板が前記サポート板に対して第２所定角度以上、上方へ回動するのを阻止するストッパ部をさらに備えることを特徴とする請求項３に記載の自動販売機の商品収納払出装置。
【請求項５】
前記サポート板の前記複数の長孔の各々は、所定の幅を有し、上下方向に延びる縦長孔部と、この縦長孔部の上下方向の一端部に形成され、当該縦長孔部よりも幅の広い幅広孔部とで構成され、前記ガイド板の前記複数の爪の各々は、前記本体板部から外方に突出し、前記縦長孔部に移動自在に係合する係合部と、この係合部の先端部に形成され、前記幅広孔部を介して前記長孔に挿入されるとともに、前記縦長孔部に抜け止め状態で係合する抜止部とで構成されていることを特徴とする請求項３または４に記載の自動販売機の商品収納払出装置。
【請求項６】
前記本体板部の後部は、斜め後ろ上がりに形成されていることを特徴とする請求項３ないし５のいずれかに記載の自動販売機の商品収納払出装置。
【請求項７】
前記ガイドの前記案内部は、前記販売商品およびそのすぐ後ろ側に位置する次販商品に対して近接するように設けられていることを特徴とする請求項１ないし６のいずれかに記載の自動販売機の商品収納払出装置。
【発明の詳細な説明】
【０００１】
【発明の属する技術分野】
本発明は、複数の商品を販売機本体内に前後方向に並べて収納するとともに、収納した商品を販売時に前方に払い出す自動販売機の商品収納払出装置に関する。
【０００２】
【従来の技術】
この種の自動販売機の商品収納払出装置として、販売機本体内に上下方向に並べて配置され、多数の商品を前後方向に並べて収納する商品通路を有する複数の商品ラックと、各商品ラックの商品通路内に配置され、商品を商品通路から払い出すためのプッシャとを備えたものが知られている。このような商品収納払出装置では、プッシャは、商品通路の前後端部間を移動自在に構成されており、販売時に、商品通路内に収納された商品全体を、後方から押圧することにより前方に所定距離だけ移動させ、商品通路の前端の払出口から最前位置の販売商品を払い出すのが一般的である。
【０００３】
また、近年の商品の多様化に伴い、上記のような商品収納払出装置において、径が一定ではない商品、例えば、上端部につばを有する逆円錐台形のカップ商品などを販売する場合が増加している。
【０００４】
【発明が解決しようとする課題】
上記従来の商品収納払出装置によれば、収納したカップ商品を払い出す場合に、その収納姿勢が乱れることがある。すなわち、この商品収納払出装置では、商品通路に収納されたカップ商品は、プッシャにより、隣り合うカップ商品のつば同士が当接した状態で前方に押される。このため、カップ商品のうちの一部が上方に浮き上がったり、前後方向に傾いたりすることがある。これは、カップ商品の形状が逆円錐台形であることにより、円筒形の缶商品などと比べ、重心が上側にありかつ下面の面積がつば部より小さいことで傾きやすいことや、カップ商品同士がつば部の部分のみで接触しているので、つば部が引っかかることで姿勢を崩しやすいことによるものである。特に、このような姿勢の乱れは、商品の底面の摩擦抵抗が大きい場合に発生しやすいとともに、商品通路の払出口付近で発生しやすい。すなわち、払出口付近では、販売商品が払い出される際に前方に傾くと、そのつば部が後方の次販商品のつば部に引っかかったり、販売商品が次販商品を蹴飛ばしたりすることがあり、このため、次販商品を含むそれ以降の商品の姿勢が乱れやすい。このようにカップ商品の収納姿勢が乱れると、商品の払い出し動作が正常に行われなくなり、最悪の場合には、商品の不販売などを起こすおそれがある。
【０００５】
本発明は、上記課題を解決するためになされたもので、つば付きのカップ商品のような逆円錐台形の商品でも、収納姿勢の乱れを防止できることで、安定して確実かつスムーズに払い出すことができる自動販売機の商品収納払出装置を提供することを目的とする。
【０００６】
【課題を解決するための手段】
請求項１の自動販売機の商品収納払出装置は、複数の商品を前後方向に並べて収納するとともに、収納した商品を販売時に前方に払い出す自動販売機の商品収納払出装置であって、前端に払出口を有し、複数の商品を前後方向に並べて収納するための商品通路と、商品の販売時に、商品通路内に収納された複数の商品を後方から押圧することで前方に移動させることにより、最前位置の販売商品を商品通路の払出口から外部に払い出すプッシャと、前後方向に延び、商品通路に収納された複数の商品のうちの少なくとも一部の商品に対して上方から近接する案内部を有し、複数の商品が前方に移動するときに、少なくとも一部の商品の上面が案内部に接することにより、少なくとも一部の商品を、その前後方向の傾きを阻止しながら案内するガイドと、を備えることを特徴とする。
【０００７】
この自動販売機の商品収納払出装置によれば、商品の販売時、プッシャに押圧されることで、商品通路に収納された複数の商品が前方に移動する際に、少なくとも一部の商品は、その上面がガイドの案内部に接することにより、前後方向に傾かないようにしながら、ガイドによって案内される。これにより、商品がカップ商品の場合でも、少なくとも一部の商品が上方に浮き上がったり、商品が前後に傾いたりするのを、ガイドにより防止することができる。したがって、ガイドを商品の収納姿勢が乱れやすい箇所に適切に配置することにより、商品の収納姿勢の乱れを防止でき、その結果、カップ商品のような逆円錐台形の商品を安定して確実かつスムーズに払い出すことができる。
【０００８】
請求項２の発明は、請求項１に記載の自動販売機の商品収納払出装置において、ガイドは、商品通路を画成する壁に着脱自在に取り付けられていることを特徴とする。
【０００９】
この自動販売機の商品収納払出装置によれば、収納姿勢が乱れにくくガイドの不要な商品、例えば缶商品などを収納する場合に、ガイドを商品通路の壁から取り外すことにより、ローディング作業を容易に行うことができる。
【００１０】
請求項３の発明は、請求項２に記載の自動販売機の商品収納払出装置において、ガイドは、商品通路の壁に着脱自在に取り付けられ、互いに平行に上下方向に延びる複数の長孔を有するサポート板と、このサポート板に取り付けられ、案内部を構成するガイド板と、を備えており、ガイド板は、サポート板の複数の長孔に抜け止め状態で上下方向に移動自在にそれぞれ係合する複数の爪と、複数の商品の上面に同時に接する本体板部とを一体に備えていることを特徴とする。
【００１１】
この自動販売機の商品収納払出装置によれば、ガイド板の複数の爪がそれぞれ、サポート板の複数の長孔に抜け止め状態で上下方向に移動自在に係合しているので、商品通路に収納する商品の品目の変更に伴って商品の高さが変わる場合でも、変更された商品の高さに応じて、ガイド板を上下方向にスライドさせ、その本体板部を商品の上面に接する状態にすることができる。また、この本体板部は、複数の商品の上面に同時に接するので、販売時に、１つの商品が前方に移動することで本体板部から外れるときでも、ガイド板は、その本体板部が外れる商品のすぐ後ろの商品に接することにより、落下することなく商品の上面に接する高さを保つ。このため、ガイド板の後方に多数の商品が収納されている場合でも、販売時に、これらの商品が前方へ移動する際に、これらの商品をガイド板により確実に案内することができる。以上のように、１つのガイドにより、様々な高さのカップ商品などを、その上面にガイド板を載せるようにするだけで、収納姿勢の乱れを防止しながら案内することができる。さらに、ガイドを２つの板部品で構成できるので、その設置スペースをコンパクトにすることができる。
【００１２】
請求項４の発明は、請求項３に記載の自動販売機の商品収納払出装置において、ガイド板は、本体板部から所定角度をなして延び、サポート板に当接することにより、ガイド板がサポート板に対して第２所定角度以上、上方へ回動するのを阻止するストッパ部をさらに備えることを特徴とする。
【００１３】
この自動販売機の商品収納払出装置によれば、ガイド板に接する商品が傾いたり、上方に浮いたりすることで、ガイド板を上方に回動させる力が作用しても、ストッパ部によりガイド板の第２所定角度以上の回動を阻止することができる。これにより、それ以上の商品の傾きや浮き上がりを防止でき、商品の収納姿勢の乱れをより確実に防止することができる。
【００１４】
請求項５の発明は、請求項３または４に記載の自動販売機の商品収納払出装置において、サポート板の複数の長孔の各々は、所定の幅を有し、上下方向に延びる縦長孔部と、この縦長孔部の上下方向の一端部に形成され、縦長孔部よりも幅の広い幅広孔部とで構成され、ガイド板の複数の爪の各々は、本体板部から外方に突出し、縦長孔部に移動自在に係合する係合部と、この係合部の先端部に形成され、幅広孔部を介して長孔に挿入されるとともに、縦長孔部に抜け止め状態で係合する抜止部とで構成されていることを特徴とする。
【００１５】
この自動販売機の商品収納払出装置によれば、ガイド板の各爪の抜止部を、幅広孔部を介して、長孔の縦長孔部に抜け止め状態で係合させ、係合部を縦長孔部に移動自在に係合させることができる。さらに、ガイド板の各爪の抜止部を、幅広孔部を介して長孔から着脱することができる。このように、係合部および抜止部で構成された爪と、縦長孔部および幅広孔部で構成された長孔という比較的、単純な形状の構成により、ガイド板をサポート板に対して着脱自在にすることができる。これにより、ガイドの不要な商品を収納する場合に、ガイド板のみを取り外すこともでき、その取外作業も容易に行うことができる。
【００１６】
請求項６の発明は、請求項３ないし５のいずれかに記載の自動販売機の商品収納払出装置において、本体板部の後部は、斜め後ろ上がりに形成されていることを特徴とする。
【００１７】
この自動販売機の商品収納払出装置によれば、販売時に、ガイド板よりも後方に位置する商品は、ガイド板の後部に引っかかったり、それによって姿勢を崩したりすることなく、ガイド板の下側に円滑に案内され、本体板部に接した状態になる。
【００１８】
請求項７の発明は、請求項１ないし６のいずれかに記載の自動販売機の商品収納払出装置において、ガイドの案内部は、販売商品およびそのすぐ後ろ側に位置する次販商品に対して近接するように設けられていることを特徴とする。
【００１９】
この自動販売機の商品収納払出装置によれば、販売時に、特に収納姿勢の乱れやすい販売商品およびそのすぐ後ろ側に位置する次販商品をガイドで案内することができるので、小さくコンパクトな装置により商品の収納姿勢の乱れを効果的に防止することができる。
【００２０】
【発明の実施の形態】
以下、図面を参照しながら、本発明の一実施形態に係る自動販売機の商品収納払出装置について説明する。図１および図２は、本実施形態による商品収納払出装置１を組み込んだ自動販売機２の内部を示している（一部のみ図示）。この自動販売機２は、横長ボックス状の販売機本体３（一部のみ図示）内に、つば付きのカップ商品Ｓ１やびん商品Ｓ２などの多品目の商品Ｓを前後方向に並べて収納するとともに、商品Ｓを前面の透明なドア（図示せず）を通して見えるようにした、いわゆるショーケース型のものである。自動販売機２は、販売機本体３と、商品Ｓを収納するとともに販売時にこれを払い出す商品収納払出装置１と、販売時に、商品収納払出装置１から払い出された商品Ｓを受け取り、搬出する商品エレベータ（図示せず）とを備えている。
【００２１】
商品収納払出装置１は、販売機本体３内の商品収納室４に引き出し自在に格納された多数の商品ラック１０（２つのみ図示）を備えている。各商品ラック１０は、販売機本体３の側壁３ａに着脱自在に取り付けられており、その取付位置を変更することで、上下の商品ラック１０，１０との間隔を互いに変更できるようになっている。商品ラック１０は、矩形の棚板１１（一部のみ図示）と、この棚板１１に着脱自在に取り付けられ、棚板１１上を左右方向に仕切る複数の仕切壁１２（２つのみ図示）と、この仕切壁１２に前後方向に移動自在に取り付けられたプッシャ１３と、仕切壁１２の上面の前部に取り付けられたガイド１４とを備えている。各２つの仕切壁１２，１２間には、前後方向に延びる商品通路１０ａが画成されている。商品通路１０ａには、異なる高さの２種類のカップ商品Ｓ１やびん商品Ｓ２などが収納され（図１参照）、各商品通路１０ａには、同一品目の商品Ｓが収納される。また、各商品通路１０ａの前端は、商品Ｓを払い出すための払出口１０ｂになっている。
【００２２】
棚板１１は、鋼板を曲げ加工することにより作製されており、商品通路１０ａの底を構成する平らな底壁１１ａと、底壁１１ａの左右端部から上方に折れ曲がった左右の側壁１１ｂ，１１ｂ（１つのみ図示）とを備えている。この底壁１１ａの前端部は、緩やかに斜め前上がりに形成されており、これにより、商品通路１０ａの最前位置の販売商品Ｓが振動などで払出口１０ｂから誤って払い出されるのが防止される。
【００２３】
また、プッシャ１３は、仕切壁１２の右側面から商品通路１０ａ内に突出しており、仕切壁１２に沿って前後方向に移動自在になっている。このプッシャ１３は、販売時に、前述した商品エレベータに駆動されることより、前方に移動し、商品通路１０ａの最前位置の販売商品Ｓを払出口１０ｂから前方に払い出す。
【００２４】
次に、ガイド１４について説明する。図２および図３に示すように、ガイド１４は、仕切壁１２の水平な上面の前部に取り付けられたサポート板１５と、このサポート板１５に取り付けられたガイド板１６（案内部）とを備えている。これらサポート板１５およびガイド板１６は、ともに鋼板をプレス加工および曲げ加工することによって作製されている。
【００２５】
サポート板１５は、前後方向に水平に延びる基部１５ａと、この基部１５ａの左端から斜め右上がりに延び、さらに上方に延びる案内壁部１５ｂとを備えている。基部１５ａの前後端部にはそれぞれ、前後の孔１５ｃ，１５ｄが形成されている。前孔１５ｃは丸孔であり、後孔１５ｄは前後方向に少し長い長孔である。一方、仕切壁１２の上面の前部には、これらの前後の孔１５ｃ，１５ｄにそれぞれ対応する２つのねじ穴（図示せず）が形成されている。これら２つのねじ穴にはそれぞれ、２つのねじ１７，１７が前後の孔１５ｃ，１５ｄを介してねじ込まれており、これにより、サポート板１５は、仕切壁１２に対して着脱自在に取り付けられている。また、各ねじ１７は、手で容易に回すことができる円盤状のつまみ付きねじで構成されている。
【００２６】
また、案内壁部１５ｂには、前後２つの長孔１５ｅ，１５ｅが形成されており、これらの長孔１５ｅ，１５ｅは、案内壁部１５ｂの上下端部間に互いに平行に上下方向に延びている。各長孔１５ｅは、所定の幅を有し、上下方向に延びる縦長孔部１５ｆと、この縦長孔部１５ｆの下端から前後に延びる横孔部１５ｇ（幅広孔部）とから、逆さＴ字形に形成されている。
【００２７】
一方、ガイド板１６は、矩形の本体板部１６ａと、この本体板部１６ａの中央部の右端から上方に延びるストッパ部１６ｂと、このストッパ部１６ｂの前後の位置で本体板部１６ａから右方に突出する前後２つの爪１６ｃ，１６ｃとを備えている。本体板部１６ａの後部は、斜め後ろ上がりに形成されており、後部以外の部分は、平らに前後方向に延び、前後に並んだ２つのカップ商品Ｓ１の上面に同時に所定幅以上で当接可能な長さと幅を有している。また、ストッパ部１６ｂは、本体板部１６ａに対して直角（所定角度）に延びており、ガイド板１６が水平な姿勢にあるとき、すなわち本体板部１６ａがサポート板１５に対して直角（第２所定角度）になっているときに、サポート板１５の左面に当接する。
【００２８】
また、各爪１６ｃは、各長孔１５ｅに抜け止め状態でかつ上下方向に移動自在に係合している。具体的には、爪１６ｃは、本体板部１６ａから右方に突出し、縦長孔部１５ｆに係合する係合部１６ｄと、この係合部１６ｄの先端から前後に延びる抜止部１６ｅとから、Ｔ字形に形成されている。係合部１６ｄは、縦長孔部１５ｆに緩く係合しており、これにより、ガイド板１６は縦長孔部１５ｆに沿って上下方向に移動自在である。また、抜止部１６ｅの幅は、横孔部１５ｇよりも少し狭く、かつ縦長孔部１５ｆよりもかなり広くなっている。以上の構成により、ガイド板１６は、抜止部１６ｅおよび横孔部１５ｇを介してサポート板１５い着脱可能であるとともに、サポート板１５の縦長孔部１５ｆから抜けないようになっている。また、図１の左下の商品通路１０ａのように、商品通路１０ａに商品Ｓが収納されていない状態では、爪１６ｃの抜止部１６ｅが、長孔１５ｅの縦長孔部１５ｆに係止されることで、ガイド板１６は、斜め左下がりの姿勢に保持される。さらに、図１の下側中央の２つの商品通路１０ａのように、カップ商品Ｓ１が収納されている場合には、ストッパ部１６ｂがサポート板１５に当接し、かつ抜止部１６ｅが縦長孔部１５ｆに係止されることで、ガイド板１６は、カップ商品Ｓ１の上面に当接した状態で、水平な姿勢に保持される。
【００２９】
以上のように構成されたガイド１４は、以下に述べるように商品ラック１０に取り付けられる。まず、サポート板１５の前後の孔１５ｃ，１５ｄを、仕切壁１２の上面の２つのねじ穴に対して位置合わせした後、ねじ１７を孔１５ｃ，１５ｄを介してねじ穴にねじ込むことにより、サポート板１５を仕切壁１２に固定する。前述したように後孔１５ｄが長孔であることにより、この取付作業の際に、２つのねじ穴間のピッチが製造誤差により規定値から少しずれていても、ずれにかかわらず、ねじ１７をねじ穴に容易にねじ込むことができる。
【００３０】
次に、ガイド板１６の爪１６ｃを、サポート板１５の対応する長孔１５ｅに係合させることにより、ガイド板１６をサポート板１５に取り付ける。すなわち、爪１６ｃの抜止部１６ｅを長孔１５ｅの横孔部１５ｇに挿入し、ガイド板１６を上方に移動させた後、ガイド板１６から手を離すと、ガイド板１６が反時計回りに回動し、抜止部１６ｅが縦長孔部１５ｆに係止されることにより、ガイド板１６は、斜め左下がりの姿勢に保持される。
【００３１】
上記とは逆に、販売機本体３への商品ラック１０の取付位置を変更することなどに伴い、ガイド１４全体を商品ラック１０から取り外す場合、ねじ１７を手で回すだけで、これを簡単に行うことができる。また、サポート板１５を取り外すことなく、ガイド板１６のみを取り外す場合には、爪１６ｃを長孔１５ｅの横孔部１５ｇから抜き出すだけでよい。
【００３２】
また、ローディング時に、ガイド１４を取り付けた商品ラック１０にカップ商品Ｓ１（以下「商品Ｓ１」という）を収納する場合には、まず、商品ラック１０を販売機本体３から引き出した後、プッシャ１３を後方に移動させる。そして、商品通路１０ａが空であるときには、ガイド板１６を上方に移動させ、その下方に２つの商品Ｓ１を前後に並べて収納する。この後、ガイド板１６を降ろすと、ガイド板１６の爪１６ｃの抜止部１６ｅが縦長孔部１５ｆに係止され、かつストッパ部１６ｂがサポート板１５に当接することで、ガイド板１６は、商品Ｓ１の上面に当接した状態で水平な姿勢に保持される。次に、多数の商品Ｓ１を順次、収納した商品Ｓ１の後ろ側に並べるようにして収納する。また、商品通路１０ａが空ではなく、ガイド板１６の下方に収納済みの商品Ｓ１が残っているときには、商品Ｓ１を収納済みの商品Ｓ１に後方から接するように収納するだけでよい。以上により、多数の商品Ｓ１は、前後方向に並んだ状態でかつ隣り合う各２つの商品Ｓ１，Ｓ１のつば部が互いに接した状態商品通路１０ａに収納される。また、この状態では、最前位置の販売商品Ｓ１およびそのすぐ後ろ側の次販商品Ｓ１にガイド板１６が接している。
【００３３】
次に、商品Ｓ１の販売時の動作について説明する。販売時には、まず、商品エレベータが、販売すべき商品Ｓ１が収納されている商品通路１０ａの付近まで移動し、プッシャ１３を前方に移動させる。これより、商品通路１０ａに収納されている多数の商品Ｓ１は、プッシャ１３によって後方から押され、前方に移動する。このとき、販売商品Ｓ１および次販商品Ｓ１は、それらの上面にガイド板１６が接しているので、次販商品Ｓ１は、ガイド板１６で案内されながら、前方に移動する。
【００３４】
そして、販売商品Ｓ１は、所定距離だけ前方に移動することで、前上がりに傾斜した底壁１１ａの前端部を乗り越え、払出口１０ｂから前方に払い出される。この払い出しの際に、販売商品Ｓ１が、そのつば部を次販商品Ｓ１のつば部に引っかけたり、次販商品Ｓ１を蹴飛ばしたりすることにより、次販商品Ｓ１を前後方向に傾けようとすると、ガイド板１６に、これを上方に回動させようとする力が作用する。一方、ガイド板１６は、そのストッパ部１６ｂがサポート板１５に当接しているので、上方に回動することなく水平な姿勢を維持し、次販商品Ｓ１に接した状態を保つ。これにより、次販商品Ｓ１の前後方向の傾きが防止され、次販商品Ｓ１は、直立した収納姿勢のままで前方に移動するとともに、その後方の商品Ｓ１も前後方向に傾いたり、上方に浮いたりすることなく、前方に移動する。また、ガイド板１６の後部が斜め後ろ上がりに形成されているので、次販商品Ｓ１の後方の商品Ｓ１は、次販商品Ｓ１の移動に伴ってガイド板１６の本体板部１６ａの下方に円滑に案内され、これに接する状態になる。以上のように、カップ商品Ｓ１は、ガイド板１６により案内され、収納姿勢を乱すことなく円滑に払い出される。
【００３５】
以上詳述したように、本実施形態の商品収納払出装置１によれば、カップ商品Ｓ１の販売時に、販売商品Ｓ１および次販商品Ｓ１は、その上面がガイド１４のガイド板１６に接した状態で前方に移動する。ガイド板１６は、そのストッパ部１６ｂがサポート板１５に当接しているので、上方に回動することなく水平な姿勢を維持しながら、販売商品Ｓ１および次販商品Ｓ１を案内する。これにより、カップ商品Ｓ１のような逆円錐台形の商品Ｓでも、払出時に、これが上方に浮き上がったり、前後に傾いたりするのを、ガイド１４で確実に防止することができる。特に、販売商品Ｓ１が払い出される際に、販売商品Ｓ１のつばが引っかかったり、これに蹴飛ばされたりすることで、収納姿勢が最も乱れやすい次販商品Ｓ１を、この付近のみに設けた比較的、短いガイド板１６により重点的に案内することによって、カップ商品Ｓ１の収納姿勢の乱れを効果的に防止できる。このようにカップ商品Ｓ１の収納姿勢の乱れを防止でき、その結果、カップ商品Ｓ１のような逆円錐台形の商品Ｓを安定して確実かつスムーズに払い出すことができる。
【００３６】
また、ガイド板１６の後部が斜め右上がりに形成されているので、販売時に、ガイド板１６よりも後方に位置する商品Ｓは、ガイド板１６の後部に引っかかることなく、ガイド板１６の本体板部１６ａに接する位置まで円滑に案内される。これにより、販売待機状態に円滑に移行することができる。さらに、ガイド板１６は、その爪１６ｃとサポート板１５の長孔１５ｅとの係合により、抜け止め状態で上下方向に移動自在にサポート板１５に取り付けられているので、１つのガイド１４で、様々な高さのカップ商品Ｓ１などを、その収納姿勢の乱れを防止しながら案内することができる。また、収納する商品Ｓの高さに応じたガイド板１６の高さ設定を、これを商品Ｓの上面に載せるだけ極めて容易に行うことができる。
【００３７】
さらに、ガイド１４が、ガイド板１６およびサポート板１５という２つの板部品で構成されていることに加えて、ガイド板１６が販売商品Ｓ１および次販商品Ｓ１に当接可能な短い長さのもので十分であるので、これらの部品をコンパクトにでき、その設置スペースをコンパクトにすることができる。また、サポート板１５が商品ラック１０に対して着脱自在で、かつガイド板１６もサポート板１５に対して着脱自在であるので、ガイド１４の不要なびん商品Ｓ２などを商品通路１０ａに収納する場合には、これらを適宜、取り外すことにより、ローディング作業を容易に行うことができる。
【００３８】
なお、前述した実施形態においては、ガイド板１６をサポート板１５に対して上下方向に移動自在に取り付けるようにしたが、ガイド板１６を、これが水平な姿勢になるようにサポート板１５に固定するようにしてもよい。この場合には、ガイド板１６と商品Ｓの上面との間隔を、ガイド板１６に案内される商品Ｓが前後に傾かないようなものに適切に設定すればよい。また、長孔１４ｅの下端部の形状は、横長に限らず、円形など、ガイド板１６の爪１６ｃを着脱できるものであればよい。さらに、ガイド板１６の爪１６ｃの形状は、Ｔ字形に限らず、スプーン形など、長孔１４ｅに抜け止め状態で上下方向に移動自在に係合するものであればよい。また、爪１６ｃおよび長孔１４ｅの数は、３つ以上でもよい。
【００３９】
【発明の効果】
以上のように、本発明の自動販売機の商品収納払出装置によれば、つば付きのカップ商品のような逆円錐台形の商品でも、収納姿勢の乱れを防止できることで、安定して確実かつスムーズに払い出すことができる。
【図面の簡単な説明】
【図１】本発明の一実施形態に係る自動販売機の商品収納払出装置の一部を示す正面図である。
【図２】商品収納払出装置の斜視図である。
【図３】ガイド板の分解斜視図である。
【符号の説明】
１    商品収納払出装置
２    自動販売機
１０ａ  商品通路
１０ｂ  払出口
１２    仕切壁（商品通路の壁）
１３    プッシャ
１４    ガイド
１５    サポート板
１５ｅ  長孔
１５ｆ  縦長孔部
１５ｇ  横孔部（幅広孔部）
１６    ガイド板（案内部）
１６ａ  本体板部
１６ｂ  ストッパ部
１６ｃ  爪
１６ｄ  係合部
１６ｅ  抜止部
Ｓ    商品
Ｓ１  カップ商品
Ｓ２  びん商品
【図１】
0003561668.tif 000002
【図２】
0003561668.tif 000003
【図３】
0003561668.tif 000004